(57)【要約】      （修正有）【課題】衝撃吸収性、ストッパーの挿入性、挿入感に優れ、半挿入等の不具合をなくし、かつ専用の治具がなくてもストッパーを極めて容易に着脱できる半導体装置等の電子部品の収納容器を提供する。【解決手段】収納容器１１のストッパー１３を、弾性変形可能な略Ｖ字状の下部ストッパー部１７と、下部ストッパー部１７の上部に連設された上部操作部１９とから形成する。上部操作部１９を断面略コ字状の開放側を相互に対向させた状態で前記下部ストッパー部１７の上部に合成樹脂材から一体に形成する。下部ストッパー部１７の内側に突起部２１を形成する。上部操作部１９を夫々内側に押圧し、または上部から押し込むことにより下部ストッパー部１７を弾性変形させ、マガジンチューブ１２の透孔１４に挿入する。【選択図】図３
0003183961.tif 000002
【実用新案登録請求の範囲】
【請求項１】
半導体装置等の電子部品を収納する筒状のマガジンチューブと、該マガジンチューブに設けられた透孔に挿入されて前記半導体装置等の電子部品の移動を規制するストッパーとを備えた半導体装置等の電子部品の収納容器において、
前記ストッパーは略Ｖ字状の下部ストッパー部と、該下部ストッパー部の上部に連設された上部操作部とから合成樹脂材により一体に形成され、前記上部操作部を押圧する事により前記略Ｖ字状の下部ストッパー部が弾性変形して前記マガジンチューブの透孔より内部に挿入されるように形成されていることを特徴とする半導体装置等の電子部品の収納容器。
【請求項２】
前記下部ストッパー部は断面略Ｖ字状に形成されていると共に、上部が内側に夫々曲げて形成され、前記上部操作部は断面略コ字状の開放側を相互に対向させた状態で前記下部ストッパー部の断面略Ｖ字状の上部に夫々連設されて形成されていることを特徴とする請求項１に記載の半導体装置等の電子部品の収納容器。
【請求項３】
前記略Ｖ字状の下部ストッパー部の内側の中間部に突起部が形成され、前記略Ｖ字状の下部ストッパー部の弾性変形が該突起部により規制されるようになされていることを特徴とする請求項１または請求項２に記載の半導体装置等の電子部品の収納容器。
【請求項４】
前記下部ストッパー部の突起部が前記略Ｖ字状の内側の相互に対向する位置に夫々形成されていることを特徴とする請求項３に記載の半導体装置等の電子部品の収納容器。
【請求項５】
前記マガジンチューブの透孔が形成された部分に、前記上部操作部を収納する凹部が形成され、前記上部操作部が前記マガジンチューブの上端より大きく突出しないようになされていることを特徴とする請求項１乃至請求項３の何れかに記載の半導体装置等の電子部品の収納容器。
【考案の詳細な説明】
【技術分野】
【０００１】
本考案は半導体装置等の電子部品の収納容器に関し、更に詳細に説明すると、半導体装置等の電子部品を収納する筒状のマガジンチューブと、該マガジンチューブに設けられた透孔に挿入されて前記半導体装置等の電子部品の移動を規制するストッパーとを備え、筒状のマガジンチューブ内に収納された半導体装置等の電子部品を保持し、移動したり、落下したりするのを防止することができる半導体装置等の電子部品の収納容器に関する。
【背景技術】
【０００２】
従来の半導体装置等の電子部品の収納容器は筒状のマガジンチューブ内に、複数個の半導体装置等の電子部品が長手方向に並べられた状態で収納保持されるように構成されている。そして、筒状のマガジンチューブ内に収納された半導体装置等の電子部品は、ゴム製またはプラスチック製のクッション材やストッパーにより移動が阻止され、衝撃等に対する緩衝性を有する構成となっている。
【０００３】
特許文献１に示されているプラスチックチューブストッパーでは、図５に示す如く、ＩＣ５を収納するマガジンチューブ１のストッパー２を軟質ＰＶＣ等からなる挿入部３と、硬質ＰＶＣ等からなる取手部４とから構成し、マガジンチューブ１の内面との間では収納保持状態を保つため挿入部３は摩擦力があり、取手部４は摩擦力がなく、ＩＣ５を収納させる装置のチューブ搬送用レールやガイド部材との間で摩擦力による装置トラブルを発生させないようになされている。
【０００４】
また、特許文献２に示されている半導体装置の収納容器は、図６に示す如く、半導体装置６を一列に並べて収納する筒状のマガジンチューブ１に硬質合成樹脂等からなるプラスチック製のピンストッパー８を挿入する構成が示されている。前記プラスチック製のピンストッパー８はマガジンチューブ１に複数穿設された開口部である透孔７に挿入される。前記ピンストッパー８は中央部に溝を備えた支柱部を有し、この支柱部の先端は該支柱部の外径より大きい外径を有する卵形の爪部９に形成されている。
【先行技術文献】
【特許文献】
【０００５】
【特許文献１】特開平１１−７９２７５
【特許文献２】特開平１１−２３６０８９
【考案の開示】
【考案が解決しようとする課題】
【０００６】
然し乍ら、特許文献１では、ストッパー２を２種類の軟質ＰＶＣ等からなる挿入部３と、硬質ＰＶＣ等からなる取手部４とから構成しているので、製造作業が煩雑で、コストアップとなる欠点を有し、また軟質ＰＶＣやゴム等からなる挿入部３を有するストッパー２の場合には、挿入性、挿入感が悪く、半挿入といった不具合が発生したり作動の正確性が得られない虞れを有していた。また一度使用したストッパー２は変形してしまい、再利用することが困難で経済性に欠けるものであった。
【０００７】
また、特許文献２に示されている半導体装置の収納容器のピンストッパー８は明確な挿入感があり、専用の治具により開口部としての透孔７に挿入することができ、半導体装置６の収納作業を自動化させることが可能であるが、硬質合成樹脂等からなるプラスチック製のピンストッパー８は緩衝性に乏しく、半導体装置６を衝撃から十分に保護することができない欠点を有していた。また、ピンストッパー８の抜き取りには専用の治具が必要であり、強引に引き抜いた場合には破損する虞れを有し、再利用ができなくなり、経済性に欠けるものであった。
【課題を解決するための手段】
【０００８】
本考案は上述せる課題に鑑みてなされたもので、本考案の請求項１に記載の半導体装置等の電子部品の収納容器は、半導体装置等の電子部品を収納する筒状のマガジンチューブと、該マガジンチューブに設けられた透孔に挿入されて前記半導体装置等の電子部品の移動を規制するストッパーとを備えた半導体装置等の電子部品の収納容器において、
前記ストッパーは略Ｖ字状の下部ストッパー部と、該下部ストッパー部の上部に連設された上部操作部とから合成樹脂材により一体に形成され、前記上部操作部を押圧する事により前記略Ｖ字状の下部ストッパー部が弾性変形して前記マガジンチューブの透孔より内部に挿入されるように形成されていることを特徴とする。
【０００９】
また、本考案の請求項２に記載の半導体装置等の電子部品の収納容器は、前記下部ストッパー部は断面略Ｖ字状に形成されていると共に、上部が内側に夫々曲げて形成され、前記上部操作部は断面略コ字状の開放側を相互に対向させた状態で前記下部ストッパー部の断面略Ｖ字状の上部に夫々連設されて形成されていることを特徴とする。
【００１０】
また、本考案の請求項３に記載の半導体装置等の電子部品の収納容器は、前記略Ｖ字状の下部ストッパー部の内側の中間部に突起部が形成され、前記略Ｖ字状の下部ストッパー部の弾性変形が該突起部により規制されるようになされていることを特徴とする。
【００１１】
また、本考案の請求項４に記載の半導体装置等の電子部品の収納容器は、前記下部ストッパー部の突起部が前記略Ｖ字状の内側の相互に対向する位置に夫々形成されていることを特徴とする。
【００１２】
また、本考案の請求項５に記載の半導体装置等の電子部品の収納容器は、前記マガジンチューブの透孔が形成された部分に、前記上部操作部を収納する凹部が形成され、前記上部操作部が前記マガジンチューブの上端より大きく突出しないようになされていることを特徴とする。
【考案の効果】
【００１３】
本考案によれば、半導体装置等の電子部品の移動が阻止され、ストッパーが弾性変形するので、衝撃吸収性に優れ、摩擦力により装置トラブルを発生させる虞れがなく、ストッパーの挿入性、挿入感に優れ、半挿入等の不具合がなく、更に従来のプラスチック製ストッパーのように専用の治具を必要とせず、ストッパーを極めて容易に着脱することができ、再利用が容易で経済性に優れた半導体装置等の電子部品の収納容器を得ることができる効果を奏するものである。
【図面の簡単な説明】
【００１４】
【図１】本考案に係る半導体装置等の電子部品の収納容器を示すもので、ストッパーの斜視図。
【図２】本考案に係る半導体装置等の電子部品の収納容器を示すもので、半導体装置等の電子部品が収納された状態を示す断面説明図。
【図３】本考案に係る半導体装置等の電子部品の収納容器を示すもので、半導体装置等の電子部品が衝撃荷重を受けた状態を示す断面説明図。
【図４】本考案に係る半導体装置等の電子部品の収納容器を示す横断面説明図。
【図５】従来のマガジンチューブにストッパーをセットした状態の断面図。
【図６】従来の半導体装置の収納容器を示す斜視図。
【考案を実施するための形態】
【００１５】
以下本考案に係る半導体装置等の電子部品の収納容器を図面を参照して詳述する。
図１には本考案に係る収納容器１１のストッパー１３が示されており、図２乃至図４には収納容器１１の概略が夫々示されている。収納容器１１は、半導体装置等の電子部品を収納する筒状のマガジンチューブ１２と、このマガジンチューブ１２に設けられた透孔１４に挿入されて前記半導体装置等の電子部品の移動を規制するストッパー１３とを備えている。尚、本実施の形態では電子部品として半導体装置１５に適用した場合として説明する。
【００１６】
本考案に係る収納容器１１のストッパー１３は、略Ｖ字状の下部ストッパー部１７と、この下部ストッパー部１７の上部に連設された上部操作部１９とから合成樹脂材により一体に形成されている。そして上部操作部１９を夫々内側に押圧し、または上部より押し込むことにより前記略Ｖ字状の下部ストッパー部１７が弾性変形するように構成されている。
【００１７】
前記略Ｖ字状の下部ストッパー部１７の上部が内側に夫々屈折または湾曲等により曲げて形成され、前記上部操作部１９は断面略コ字状の開放側を相互に対向させた状態で前記下部ストッパー部１７の断面略Ｖ字状の上部に夫々連設されて形成されている。
【００１８】
従って、上部操作部１９を夫々内側に押圧する事により前記略Ｖ字状の下部ストッパー部１７を弾性変形させ、マガジンチューブ１２に設けられた透孔１４に挿入する際に、下部ストッパー部１７の上部の内側に曲げられた部分が下部ストッパー部１７を容易に弾性変形させると共に、マガジンチューブ１２に設けられた透孔１４に挿入する際に、節度感を与えることができる。
【００１９】
また、略Ｖ字状の下部ストッパー部１７の内側の中間部に夫々対向する状態で一対の突起部２１が形成され、前記略Ｖ字状の下部ストッパー部１７の弾性変形がこの突起部２１同士の当接により規制されるようになされている。尚、本実施の形態では下部ストッパー部１７の突起部２１が前記略Ｖ字状の内側の相互に対向する位置に夫々形成されているが、これに限定されるものではなく、片側だけに突起部２１を形成し、または適宜の長さに変形変更することができる。
【００２０】
図４に示すように、前記マガジンチューブ１２の透孔１４が形成された部分には前記断面略コ字状の上部操作部１９を収納する凹部２３が形成され、前記上部操作部１９が前記マガジンチューブ１２の上端より大きく突出しないようになされている。
【００２１】
図２に示す如く、略Ｖ字状の下部ストッパー部１７により、半導体装置１５の移動が阻止されている状態より、半導体装置１５に何らかの原因により衝撃荷重が加えられると、ストッパー１３が弾性変形して衝撃を吸収することができる。更に大きな衝撃荷重が加えられると、ストッパー１３の略Ｖ字状の下部ストッパー部１７が弾性変形し、この下部ストッパー部１７の弾性変形が前記突起部２１同士の当接により規制されて衝撃を吸収する。
【符号の説明】
【００２２】
１１    収納容器
１２    マガジンチューブ
１３    ストッパー
１４    透孔
１５    半導体装置
１７    略Ｖ字状の下部ストッパー部
１９    断面略コ字状の上部操作部
２１    突起部
２３    凹部
【図１】
0003183961.tif 000003
【図２】
0003183961.tif 000004
【図３】
0003183961.tif 000005
【図４】
0003183961.tif 000006
【図５】
0003183961.tif 000007
【図６】
0003183961.tif 000008